(57)【要約】【課題】刈取装置内に刈刃で刈った草葉や粉塵、草葉についた水等がハウジング内に流入することを防止でき、安全で故障が生じ難い芝刈機を提供することを課題とする。【解決手段】刈刃４を設けた刈取装置２に刈刃４を動作させるモータ１８とモータ１８を冷却する冷却ファン２０を内装する。刈取装置２をハンドル１の下端に接続して取付ける。刈取装置２とハンドル１の接続部分の外面を接続部カバー３４で覆う。接続部カバー３４で覆われる部分に冷却ファン２０により刈取装置２内に導入される空気の吸気口５７を形成する。【選択図】        図１
2007116956.tif 000002
【特許請求の範囲】
【請求項１】
刈刃を設けた刈取装置に刈刃を動作させるモータと該モータを冷却する冷却ファンを内装し、該刈取装置をハンドルの下端に接続して取付け、該刈取装置とハンドルの接続部分の外面を接続部カバーで覆い、該接続部カバーで覆われる部分に前記冷却ファンにより刈取装置内に導入される空気の吸気口を形成して成ることを特徴とする芝刈機。
【請求項２】
上記刈取装置とハンドルの接続部分の外周を囲む筒状の接続部カバーを刈取装置に取付け、刈取装置の外面の接続部カバーと重複する位置に連通口を形成し、上記吸気口を連通口を介して刈取装置内に連通させて成ることを特徴とする請求項１に記載の芝刈機。
【請求項３】
上記接続部カバーは一対の半割筒状体を連結してなる筒状のものであって、ハンドルの下端部を構成する筒状の接続筒部に刈取装置から突設した挿入部を挿入し、接続筒部を前記一対の半割筒状体で挟み、一方の半割筒状体から挿入した固着具を接続筒部及び挿入部を貫通して他方の半割筒状体に固着し、半割筒状体の内面から突出した補強用のリブと前記挿入部の外周面とで接続筒部を挟持して成ることを特徴とする請求項１又は請求項２に記載の芝刈機。
【発明の詳細な説明】
【技術分野】
【０００１】
本発明は刈取装置にモータを冷却するための冷却ファンを内装した芝刈機に関する。
【背景技術】
【０００２】
従来から利用されている芝刈機には例えば特許文献１のような芝刈機がある。この芝刈機はハンドルの先端に下面に刈刃を設けた刈取装置を取付けたものであり、刈取装置を芝上で移動させつつ、刈取装置に内装したモータを駆動して刈刃を動作させることで、地上の芝草や枝木を刈るものである。
【０００３】
ところで上記のような芝刈機にあってはモータがその駆動に伴い非常に高温になる恐れがあり、このため刈取装置にモータ冷却用の冷却ファンを内装したものがある。しかし一般的な冷却ファンを設けた芝刈機は、冷却ファンにより刈取装置内に導入される空気の吸気口を刈刃を設けた刈取装置の下面に設けてあるため、刈刃で刈った草葉や粉塵、草葉についた水等がハウジング内に流入する恐れがあり、高温のモータを内装した刈取装置内に草葉や粉塵が流入することは危険であり、また刈取装置内に水が侵入した場合には故障の原因となる。
【特許文献１】特開平６−１５３６５０号公報
【発明の開示】
【発明が解決しようとする課題】
【０００４】
本発明は上記従来の問題点に鑑みて発明したものであって、刈取装置内に刈刃で刈った草葉や粉塵、草葉についた水等がハウジング内に流入することを防止でき、安全で故障が生じ難い芝刈機を提供することを課題とするものである。
【課題を解決するための手段】
【０００５】
上記課題を解決するために本発明に係る芝刈機は、刈刃４を設けた刈取装置２に刈刃４を動作させるモータ１８と該モータ１８を冷却する冷却ファン２０を内装し、該刈取装置２をハンドル１の下端に接続して取付け、該刈取装置２とハンドル１の接続部分の外面を接続部カバー３４で覆い、該接続部カバー３４で覆われる部分に前記冷却ファン２０により刈取装置２内に導入される空気の吸気口５７を形成して成ることを特徴とするものである。
【０００６】
このように地上から離れた接続部カバー３４で覆われる部分に吸気口５７を形成することで、冷却ファン２０が回転した際に刈刃４で刈られた草葉や粉塵、草葉についた水等がハウジング３内に流入することを防止できる。
【０００７】
また上記刈取装置２とハンドル１の接続部分の外周を囲む筒状の接続部カバー３４を刈取装置２に取付け、刈取装置２の外面の接続部カバー３４と重複する位置に連通口５９を形成し、上記吸気口５７を連通口５９を介して刈取装置２内に連通させることも好ましい。
【０００８】
この場合、連通口５９はハウジング３の接続部カバー３４と重複するので、接続部カバー３４の各連通口５９を覆う部分により刈取り時に舞い上がった草葉や粉塵、雨水等が各連通口５９からハウジング３に流入することを防止できる。
【０００９】
また上記接続部カバー３４は一対の半割筒状体３５ａ、３５ｂを連結してなる筒状のものであって、ハンドル１の下端部を構成する筒状の接続筒部４４に刈取装置２から突設した挿入部４２を挿入し、接続筒部４４を前記一対の半割筒状体３５ａ、３５ｂで挟み、一方の半割筒状体３５ａ、３５ｂから挿入した固着具４６を接続筒部４４及び挿入部４２を貫通して他方の半割筒状体３５ａ、３５ｂに固着し、半割筒状体３５ａ、３５ｂの内面から突出した補強用のリブ５１と前記挿入部の外周面とで接続筒部４４を挟持することも好ましい。
【００１０】
この場合、接続部カバー３４、挿入部４２、接続筒部４４の３者を固着具４６により強固に固着一体化できる。またリブ５１により半割筒状体３５ａ、３５ｂを補強できて、接続部カバー３４、挿入部４２、接続筒部４４の３者の固着一体化をより強固なものとできる。
【発明の効果】
【００１１】
本発明では、冷却ファンが回転した際に刈刃で刈られた草葉や粉塵、草葉についた水等がハウジング内に流入することを防止できて、安全を確保でき、且つ故障を防止できる。
【発明を実施するための最良の形態】
【００１２】
以下、本発明を添付図面に示す実施形態に基いて説明する。図２や図３のように本実施形態の芝刈機は、長尺なハンドル１と、ハンドル１の先端に取付けた刈取装置２を備えている。
【００１３】
刈取装置２の外殻は中空のハウジング３で構成してあり、ハウジング３の前部の下面側には刈刃４を設けている。刈刃４は円盤状の固定刃５及び可動刃６で構成してある。可動刃６はハウジング３の前部から下方に突出する取付軸７に回転自在に軸支してあり、可動刃６の外周には刃部９（図４参照）を複数形成している。可動刃６の下方に位置する固定刃５はその外周に多数の刃部６５を櫛状に形成している。固定刃５は取付軸７の先端面にねじ具８で固定してある。ねじ具８は大径雄ねじ部１４から大径雄ねじ部１４よりも小径の小径雄ねじ部１５を突出したものであり、小径雄ねじ部１５を固定刃５の中心部を通して取付軸７のねじ穴１３に螺着している。
【００１４】
固定刃５の下方には金属製又は合成樹脂製の刃底カバー１２を配設してあり、該刃底カバー１２により固定刃５の中央部を下方から覆っている。刃底カバー１２は外周縁を外側に傾斜して立ち上げた円形皿状であり、刃底カバー１２の中心部から上方に突設した雌ねじ部１１をねじ具８の大径雄ねじ部１４に螺着することで固定刃５の下面側に取付けられている。刃底カバー１２の下面には平坦な滑面部１６を形成してあり、滑面部１６を芝上に接地して滑らすことで刈取装置２をスムーズに移動できるようにしている。また図４のように刃底カバー１２には上方に凹む凹曲部１７を周方向に複数形成してあり、凹曲部１７間の部位を容易に指で摘めるようにし、これにより刃底カバー１２の着脱を容易にできるようにしている。
【００１５】
図３のようにハウジング３の後部には刈刃４を動作させるモータ１８を内装している。モータ１８の出力軸（図示せず）はハウジング３内のギアケース１９に軸支した複数のギア等からなる伝達機構部を介して可動刃６に連結してあり、モータ１８の出力軸の回転を伝達機構部を介して可動刃６に伝達して可動刃６を回転できるようになっている。
【００１６】
またハウジング３の後部にはモータ１８を冷却する冷却ファン２０を内装している。冷却ファン２０は軸方向に導入した空気を外側方に排出する遠心ファンであってモータ１８の後方に配置されている。この冷却ファン２０は前記モータ１８の出力軸に同軸で接続してあり、モータ１８を駆動することで上記刈刃４の動作と同時に冷却ファン２０を回転できるようになっている。
【００１７】
ハンドル１はＬ字状に屈曲したグリップ２１と、グリップ２１の先端から斜め下前方に向けて突設した筒状のポール２２を備えている。
【００１８】
グリップ２１は略横向きの後部が手で把持される把持部２３となっている。把持部２３の下面には操作部として押し込み式のスイッチハンドル２４を設けている。また把持部２３にはスイッチハンドル２４にばね力を付与するばね２５を内装しており、該ばね２５によりスイッチハンドル２４を常に突出する方向に付勢している。また把持部２３にはスイッチハンドル２４により操作されるスイッチ本体２６を内装してあり、該スイッチ本体２６にはグリップ２１の後端から導入した電源コード２７を接続している。またスイッチ本体２６は導電コード２８を介してモータ１８に電気的に接続してある。導電コード２８はグリップ２１から外部に導出された後、後述のハウジング３から上方に突出した突出部２９の後部からハウジング３内に導入されてハウジング３内でモータ１８に接続されている。グリップ２１内における導電コード２８の途中にはブレーカー３０を設けてあり、該ブレーカー３０で例えば可動刃６に草葉が巻きつく等した場合に、モータ１８に過電流が流れることを防止している。またグリップ２１の把持部２３にはロック釦３１を設けてあり、スイッチハンドル２４はロック釦３１を押し込んだ状態でのみ操作可能としてある。即ちロック釦３１を押し込み、この状態で把持部２３を握ってスイッチハンドル２４を把持部２３側に押し込むことで、モータ１８を駆動できるようになっている。またスイッチハンドル２４への押し込み方向の力を解除することで、モータ１８を停止して刈刃４の動作を停止できるようになっている。なおロック釦３１の押し込み状態を解除した場合には、スイッチハンドル２４は押し込めないようになっており、これによりモータ１８及び刈刃４の動作を制限している。
【００１９】
また図５に示すように上記ハンドル１と刈取装置２の接続部分には同部の外周を覆う接続部カバー３４を設けている。接続部カバー３４は一対の半割筒状体３５ａ、３５ｂの周方向の両端同士を突き合わせて構成した筒状のものである。各半割筒状体３５ａ、３５ｂの内面には半割筒状体３５ａ、３５ｂと一体で円筒状のボス３６ａ、３６ｂを内側に向けて複数突出している。また各半割筒状体３５ａ、３５ｂの内面には半割筒状体３５ａ、３５ｂと一体で半割筒状体３５の周方向に沿う補強用のリブ３７を複数形成している。図６のように一方の半割筒状体３５ａの各ボス３６ａ、３６ｂの孔の一端は半割筒状体３５ａの外面側に開口しており、固着具挿通孔３８となっている。また他方の半割筒状体３５ｂの各ボス（図示せず）の孔は内面に雌ねじを形成した雌ねじ孔となっている。
【００２０】
また各半割筒状体３５ａ、３５ｂの内面からは任意のボス（図示例では各半割筒状体３５の上部の前部に接続部カバー３４の軸方向に並べて設けた２つのボス３６ａ）を囲むボス保護部３９を突設している。各ボス保護部３９は筒状の接続部カバー３４の軸方向において対応するボス３６ａの両外側に位置する弧状部４０で構成されている。各弧状部４０はボス３６ａの径方向の外側に向かって凸となる弧状に形成してあり、周方向の両端をボス３６ａの外周面に一体に接続している。これにより各弧状部４０の周方向の中央部とボス３６ａの外周面との間には緩衝用の隙間４１が形成されている。
【００２１】
また図５のようにハウジング３の上面部の前部中央からは斜め上後方に向けて突出部２９が突出している。突出部２９の後部の上面からは前述の導電コード２８をハウジング３内に導入している。また突出部２９の前部の上部には後斜め上向きに突出する挿入部４２を設けている。挿入部４２を設けた突出部２９の上記ボス３６ａ、３６ｂに対応する位置には左右方向に貫通する貫通孔４３ａ、４３ｂを形成している。貫通孔４３ａ、４３ｂは突出部２９の前部及び後部の夫々の下部と、挿入部４２の突出方向に間隔を介した２ヶ所に形成している。ボス保護部３９を設けたボス３６ａに対応する貫通孔４３ａの形状はボス保護部３９の外形と合致する形状となっている。またボス保護部３９を設けていないボス３６ｂに対応する貫通孔４３ｂの形状はボス３６ｂの外形と合致する形状となっている。
【００２２】
また筒状のポール２２の下端部を構成する接続筒部４４の両側面部には嵌込孔４５を形成している。嵌込孔４５は前記ボス３６ａに対応する位置に設けてあり、つまり嵌込孔４５は接続筒部４４の軸方向に間隔を介した２箇所に夫々設けてある。嵌込孔４５の形状は対応するボス保護部３９の外形と合致する形状となっている。
【００２３】
上記接続部カバー３４をハンドル１と刈取装置２の接続部分に取付ける場合は、次のように行う。まず刈取装置２の挿入部４２をポール２２の下端から接続筒部４４に挿入し、各嵌込孔４５と貫通孔４３ａを重複させる。次に突出部２９を一対の半割筒状体３５ａ、３５ｂで両外側から挟み込む。この時、各半割筒状体３５ａ、３５ｂのボス３６ｂを貫通孔４３ｂに挿入して嵌め込む。また同時に各半割筒状体３５の各ボス保護部３９を嵌込孔４５に通して該ボス保護部３９を貫通孔４３ａに挿入し、これにより各ボス保護部３９を嵌込孔４５及び貫通孔４３ｂに嵌め込んで固定する。また同時に各半割筒状体３５ａ、３５ｂの各リブ３７の突端面を挿入部４２の外面に当接する。これにより刈取装置２の突出部２９は基端部（下縁部）を除く全部が一対の半割筒状体３５ａ、３５ｂからなる接続部カバー３４によって覆われる。そしてこのように突出部２９を一対の半割筒状体３５ａ、３５ｂで挟んだ状態で、一方の半割筒状体３５ａの外面側から各ボス３６ａ、３６ｂの固着具挿通孔３８にビスのような固着具４６を挿通し、該固着具４６を他方の半割筒状体３５に設けた各ボスの雌ねじ孔に螺着して、一対の半割筒状体３５ａ、３５ｂを接続する。これにより接続部カバー３４は一対の半割筒状体３５ａ、３５ｂで挿入部４２を挿入した接続筒部４４を両側から挟み込んだ状態でハンドル１と刈取装置２の接続部分に取付けられることとなる。
【００２４】
この取付け状態にあっては、ハンドル１の接続筒部４４は固着具４６の締付け力により挿入部４２と半割筒状体３５ａ、３５ｂとの間に挟持される。ここで接続筒部４４は内側が挿入部４２で保持されると共に外側が接続部カバー３４で保持され、しかも一対の半割筒状体３５ａ、３５ｂは挿入部４２及び接続筒部４４を貫通する固着具４６で連結されるので、接続部カバー３４、挿入部４２、接続筒部４４の３者は固着具４６により強固に固着一体化されることとなる。また接続筒部４４の各嵌込孔４５には各半割筒状体３５ａ、３５ｂのボス保護部３９が嵌め込まれるので、接続筒部４４は挿入部４２から抜け出ないように強固に固定される。さらにボス保護部３９の各弧状部４０とボス３６ａの間には前述したように緩衝用の隙間４１が形成されているので、ハンドル１の接続筒部４４に挿入部４２から抜く方向や挿入部４２に挿入する方向に強い力が加わったとしても、この力はボス３６ａに対しては作用し難くなっており、これにより接続筒部４４からボス３６ａに力が加わった際に、ボス３６ａや挿入部４２や接続筒部４４が変形したり破損したりすることを防止している。
【００２５】
また図７に示すように上記グリップ２１とポール２２の接続部分にもカバー４７を設けている。このグリップ２１側のカバー４７も上記刈取装置２側の接続部カバー３４と同様に一対の半割筒状体４８ａ、４８ｂで構成してある。即ちグリップ２１側のカバー４７を構成する各半割筒状体４８ａ、４８ｂには刈取装置２側の接続部カバー３４と同様に複数のボス４９ａ、４９ｂ、任意のボス４９ａを囲むボス保護部５０、補強用のリブ５１を設けている。また把持部２３から斜め下前方に向けて突出した突出部５２にも、刈取装置２と同様の挿入部５３、貫通孔５４ａ、５４ｂを設けてあり、また筒状のポール２２の上端部を構成する接続筒部５５にもポール２２の接続筒部４４と同様の嵌込孔５６を形成している。なおグリップ２１側のカバー４７の取付けについては、上記刈取装置２側の接続部カバー３４の取付けと同様に固着具４６を用いて同様に行うものであるので説明は省略する。
【００２６】
上記芝刈機を使用する場合は、例えばポール２２の長さを調節した後、グリップ２１の把持部２３を手で握って刈取装置２を芝上に滑動させると共に、スイッチハンドル２４を操作してモータ１８を駆動する。このようにモータ１８を駆動すると可動刃６が取付軸７回りに回転され、これにより固定刃５の刃部６５間に誘い込まれた草葉や枝木を固定刃５の刃部６５と回転する可動刃６の刃部９で挟み切る。ここで本例では刃底カバー１２を設けているので、刃底カバー１２の高さにより可動刃６の高さ位置が一定に保たれて芝の長さを一定にそろえることができる。またこの芝刈時には刈刃４の動作と同時に冷却ファン２０が回転し、この冷却ファン２０によりモータ１８に空気を当てて冷却できるようになっている。
【００２７】
ここで既述の冷却ファン２０の運転により刈取装置２内に導入される空気の吸気口５７は図１や図９に示すように接続部カバー３４で覆われる部分に形成している。具体的には図９のように接続部カバー３４は下縁全周がハウジング３の突出部２９の基端よりもわずかに上方に位置するように取付けてあり、この接続部カバー３４の下縁とハウジング３の上面との間に形成した隙間５８で吸気口５７を形成している。なお本例では接続部カバー３４の下縁とハウジング３の外面との間に吸気口５７を形成したが、接続部カバー３４に孔や切欠きを形成してこれら孔や切欠きを吸気口５７としても良いものとする。
【００２８】
また図５のようにハウジング３の突出部２９の両側にはハウジング３を貫通する連通口５９を複数形成している。各連通口５９は突出部２９の基端よりもやや上方に位置している。また各連通口５９は図９のように吸気口５７よりも上方に位置し、各連通口５９は接続部カバー３４の外面側から見て接続部カバー３４と重複する位置に形成されている。
【００２９】
また図６等に示すように接続部カバー３４を構成する各半割筒状体３５ａ、３５ｂの内面の各連通口５９に対向する部分には凹部６０を形成してあり、各凹部６０は内方及び下方にのみ開口している。これにより吸気口５７はカバーの凹部６０の奥面と同面に対向するハウジング３の突出部２９の外面との間に形成された吸気路６１と、各連通口５９を順に介してハウジング３内に連通している。
【００３０】
また図５のようにハウジング３の後部の両側の夫々には複数の排気口６２を形成している。各排気口６２は冷却ファン２０の外側方に位置している。各排気口６２は図３のようにハウジング３内に形成した通気路６３を介して前述の連通口５９に連通してあり、この通気路６３に前述のモータ１８及び冷却ファン２０を上流側から順に配設している。なお上記ハウジング３の刈刃４を設けた下面と可動刃６の外周部との間はシール部材６４により気密してあり、これにより冷却ファン２０を運転した場合にハウジング３の下面からハウジング３内に空気が流入することを防止している。
【００３１】
従ってモータ１８を駆動して冷却ファン２０を回転すると、吸気口５７から刈取装置２の外部の空気が吸い込まれ、この空気が吸気路６１及び連通口５９を介してハウジング３内の通気路６３内に吸い込まれ、この後、モータ１８及び冷却ファン２０を通って排気口６２から排出される。
【００３２】
このように本発明では刈刃４から上方に離れた位置にある接続部カバー３４に吸気口５７を形成したので、冷却ファン２０が回転した際に刈刃４で刈られた草葉や粉塵、草葉についた水等がハウジング３内に流入することを防止できる。しかも吸気口５７から流入した空気が通る各連通口５９はハウジング３の接続部カバー３４と重複する位置に形成したので、接続部カバー３４の各連通口５９を覆う部分により刈取り時に舞い上がった草葉や粉塵、雨水等が各連通口５９からハウジング３に流入することも防止できる。しかも吸気口５７は接続部カバー３４の下縁とハウジング３の上面との間の隙間で構成しているので、目立たず外観が良い。
【図面の簡単な説明】
【００３３】
【図１】本発明の実施の形態の一例を示し、刈取装置とハンドルの接続部分の側面図である。
【図２】同上の芝刈機の全体斜視図である。
【図３】同上の芝刈機の側断面図である。
【図４】同上の芝刈機の底面図である。
【図５】同上の刈取装置とハンドルの接続部分の分解斜視図である。
【図６】同上のカバーの一方の半割筒状体の内面側から見た斜視図である。
【図７】同上のポールとグリップの接続部分の分解斜視図である。
【図８】同上のグリップ側カバーの一方の半割筒状体の内面側から見た斜視図である。
【図９】図１のＡ―Ａ断面図である。
【符号の説明】
【００３４】
１  ハンドル
２  刈取装置
４  刈刃
１８  モータ
２０  冷却ファン
３４  接続部カバー
３５ａ  半割筒状体
３５ｂ  半割筒状体
４２  挿入部
４４  接続筒部
５７  吸気口
５９  連通口
【図１】
2007116956.tif 000003
【図２】
2007116956.tif 000004
【図３】
2007116956.tif 000005
【図４】
2007116956.tif 000006
【図５】
2007116956.tif 000007
【図６】
2007116956.tif 000008
【図７】
2007116956.tif 000009
【図８】
2007116956.tif 000010
【図９】
2007116956.tif 000011